(57)【要約】【課題】改良された眼内インプラントを提供する。【解決手段】眼内インプラントは、屈折力を有するミラー１０４，１０６を含み且つ非生体適合性材料を含有し、眼内インプラントが移植されたときに情景から光を受け取り網膜に光の焦点を合わせるように作用する複数のミラー１０４，１０６と、複数のミラー１０４，１０６を取り囲んでおり、眼内インプラントが移植されたときに情景から複数のミラー１０４，１０６へ及び複数のミラー１０４，１０６から網膜への光の通過を妨げることなく、眼の内部に対して非生体適合性材料を封止するように作用する少なくとも一つの密封包囲体１００とを備える。【選択図】図１
2006187635.tif 000002
【特許請求の範囲】
【請求項１】
屈折力を有するミラーを含み且つ非生体適合性材料を含有し、眼内インプラントが移植されたときに情景から光を受け取り網膜に前記光の焦点を合わせるように作用する複数のミラーと、
前記複数のミラーを取り囲む少なくとも一つの密封包囲体と、
を備え、該少なくとも一つの密封包囲体は、眼内インプラントが移植されたときに、前記情景から前記複数のミラーへ及び前記複数のミラーから前記網膜への光の通過を妨げることなく、眼の内部に対して前記非生体適合性材料を封止するように作用することを特徴とする眼内インプラント。
【請求項２】
前記眼内インプラントが透明な本体として形成され、
前記複数のミラーが前記透明な本体の表面を被覆することによって形成され、
前記少なくとも一つの密封包囲体が、前記非生体適合性材料に対して非浸透性を有し且つ前記複数のミラー及び前記透明な本体を覆って形成される透明材料の層によって形成される、請求項１に記載の眼内インプラント。
【請求項３】
前記透明材料の層がガラス及び噴霧可能な透明材料のうちの一つであるように選択される、請求項２に記載の眼内インプラント。
【請求項４】
虹彩の閉鎖を制限し、それによって情景からの前記光が前記複数のミラーに到達することを保証するように作用する少なくとも一つの虹彩レストリクタをさらに備える、請求項１に記載の眼内インプラント。
【請求項５】
前記少なくとも一つの虹彩レストリクタがプリズムを含む、請求項４に記載の眼内インプラント。
【請求項６】
前記プリズムが前記光を前記複数のミラーのうちの一つへ導くように作用する、請求項５に記載の眼内インプラント。
【請求項７】
前記プリズムが前記光の方向を変更して前記光を前記複数のミラーのうちの少なくとも一つへ導くように作用する、請求項５に記載の眼内インプラント。
【請求項８】
前記眼内インプラントが移植されたときに概ね前記複数のミラーに当たる光のみが網膜に到達するように前記眼内インプラントを通過する光を制限するように配置される少なくとも一つの光レストリクタをさらに備える、請求項４に記載の眼内インプラント。
【請求項９】
前記眼内インプラントが移植されたときに概ね前記複数のミラーに当たる光のみが網膜に到達するように前記眼内インプラントを通過する光を制限するように配置される少なくとも一つの光レストリクタをさらに備える、請求項１に記載の眼内インプラント。
【請求項１０】
屈折力を有するミラーを含み、眼内インプラントが移植されたときに情景から光を受け取り網膜に前記光の焦点を合わせるように作用する複数のミラーと、
虹彩の閉鎖を制限し、それによって情景からの前記光が前記複数のミラーに到達することを保証するように作用する少なくとも一つの虹彩レストリクタと、
を備えることを特徴とする眼内インプラント。
【請求項１１】
前記少なくとも一つの虹彩レストリクタが前記複数のミラーに接合される、請求項１０に記載の眼内インプラント。
【請求項１２】
前記少なくとも一つの虹彩レストリクタが、情景から該虹彩レストリクタに当たる光の方向を変更して前記複数のミラーのうちの少なくとも一つへ前記光を導くためのプリズムを含む、請求項１０に記載の眼内インプラント。
【請求項１３】
前記少なくとも一つの虹彩レストリクタが虹彩に取り付け可能である、請求項１０に記載の眼内インプラント。
【請求項１４】
前記少なくとも一つの虹彩レストリクタが、前記複数のミラーに接合され且つ前記虹彩の内側周縁に沿った少なくとも一つの場所で前記虹彩と係合する少なくとも一つのフックを備える、請求項１０に記載の眼内インプラント。
【請求項１５】
前記複数のミラーが非生体適合性材料から形成される、請求項１０に記載の眼内インプラント。
【請求項１６】
前記複数のミラーは、前記非生体適合性材料による眼の内部の汚染を防止するために、密封されている、請求項１５に記載の眼内インプラント。
【請求項１７】
前記複数のミラーの各々は、前記非生体適合性材料による眼の内部の汚染を防止するために、密封されている、請求項１５に記載の眼内インプラント。
【請求項１８】
前記眼内インプラントが移植されたときに概ね前記複数のミラーに当たる光のみが網膜に到達するように前記眼内インプラントを通過する光を制限するように配置される少なくとも一つの光レストリクタをさらに備える、請求項１０に記載の眼内インプラント。
【請求項１９】
屈折力を有するミラーを含み、眼内インプラントが移植されたときに情景から光を受け取り網膜に前記光の焦点を合わせるように作用する複数のミラーと、
前記眼内インプラントが移植されたときに概ね前記複数のミラーに当たる光のみが網膜に到達するように前記眼内インプラントを通過する光を制限するように配置される少なくとも一つの光レストリクタと、
を備えることを特徴とする眼内インプラント。
【請求項２０】
前記複数のミラーが非生体適合性材料から形成される、請求項１９に記載の眼内インプラント。
【請求項２１】
前記複数のミラーは、前記非生体適合性材料による眼の内部の汚染を防止するために、密封されている、請求項２０に記載の眼内インプラント。
【請求項２２】
前記複数のミラーの各々は、前記非生体適合性材料による眼の内部の汚染を防止するために、密封されている、請求項２０に記載の眼内インプラント。
【請求項２３】
屈折力を有するミラーを含み、眼内インプラントが移植されたときに情景から光を受け取り網膜に前記光の焦点を合わせるように作用する複数のミラーを備え、該複数のミラーが屈折矯正手術を受ける患者の眼に移植されるときに作業に適するように構成されることを特徴とする眼内インプラント。
【請求項２４】
前記複数のミラーが非生体適合性材料から形成される、請求項２３に記載の眼内インプラント。
【請求項２５】
前記複数のミラーは、前記非生体適合性材料による眼の内部の汚染を防止するために、密封されている、請求項２４に記載の眼内インプラント。
【請求項２６】
前記複数のミラーの各々は、前記非生体適合性材料による眼の内部の汚染を防止するために、密封されている、請求項２４に記載の眼内インプラント。
【請求項２７】
屈折力を有するミラーを含み且つ非生体適合性材料を含有し、眼内インプラントが移植されたときに情景から光を受け取り網膜に前記光の焦点を合わせるように作用する複数のミラー、
前記複数のミラーを取り囲んでおり、眼内インプラントが移植されたときに、前記情景から前記複数のミラーへ及び前記複数のミラーから前記網膜への光の通過を妨げることなく、眼の内部に対して前記非生体適合性材料を封止するように作用する少なくとも一つの密封包囲体と、
前記光を前記複数のミラーのうちの一つへ導くプリズムを含み、虹彩の閉鎖を制限し、それによって情景からの前記光が前記複数のミラーに到達することを保証するように作用する少なくとも一つの虹彩レストリクタと、
眼内インプラントが移植されたときに概ね前記複数のミラーに当たる光のみが前記網膜に到達するように眼内インプラントを通過する光を制限するように配置される少なくとも一つの光レストリクタと、
を備えることを特徴とする眼内インプラント。
【発明の詳細な説明】
【技術分野】
【０００１】
本発明は、大別して、眼球移植体に関し、より詳細には、眼内インプラントに関する。
【背景技術】
【０００２】
特許文献１〜３６が現在の技術水準を表していると思われる。
【０００３】
【特許文献１】米国特許第５，３５４，３３５号明細書
【特許文献２】米国特許第５，８１４，１０３号明細書
【特許文献３】米国特許第５，８７４，４４２号明細書
【特許文献４】米国特許第５，９２８，２８３号明細書
【特許文献５】米国特許第６，００７，５７９号明細書
【特許文献６】米国特許第６，０６６，１７１号明細書
【特許文献７】米国特許第５，６５３，７５１号明細書
【特許文献８】米国特許第６，５９６，０２６号明細書
【特許文献９】米国特許第６，５６９，１９９号明細書
【特許文献１０】米国特許第６，４６４，７２５号明細書
【特許文献１１】米国特許第５，３９１，２０２号明細書
【特許文献１２】米国特許第５，３８４，６０６号明細書
【特許文献１３】米国特許第４，０７４，３６８号明細書
【特許文献１４】米国特許第４，９９４，０８２号明細書
【特許文献１５】米国特許第５，６２８，７９８号明細書
【特許文献１６】米国特許第５，２２２，９８１号明細書
【特許文献１７】米国特許第４，１７２，２９７号明細書
【特許文献１８】米国特許第５，７６９，８９０号明細書
【特許文献１９】米国特許第４，８９２，５４３号明細書
【特許文献２０】米国特許第４，３７３，２１８号明細書
【特許文献２１】米国特許第４，９６８，１２７号明細書
【特許文献２２】米国特許第４，７５９，７６１号明細書
【特許文献２３】米国特許第４，９７６，７３２号明細書
【特許文献２４】米国特許第５，７６９，８８９号明細書
【特許文献２５】米国特許出願公開第２００１/０１８，６１２号公報
【特許文献２６】ＰＣＴ国際公開第９４/０７，４３５号パンフレット
【特許文献２７】ＰＣＴ国際公開第００/３８５９８号パンフレット
【特許文献２８】ＰＣＴ国際公開第８３/０１５６６号パンフレット
【特許文献２９】ＤＥ４，４０３，３２６
【特許文献３０】欧州特許出願公開第ＥＰ１，０９２，４０２号公報
【特許文献３１】欧州特許出願公開第０，４１９，７４０号公報
【特許文献３２】ＧＢ２，１８１，３５５
【特許文献３３】欧州特許出願公開第０，８９７，７０２号公報
【特許文献３４】欧州特許出願公開第０，２１２，６１６号公報
【特許文献３５】ＤＥ３，４２８，８９５
【特許文献３６】ＤＥ１９，５０１，４４４
【発明の開示】
【発明が解決しようとする課題】
【０００４】
本発明は、改良された眼内インプラントを提供することを目的とする。
【課題を解決するための手段】
【０００５】
本発明の好ましい実施形態によれば、屈折力を有するミラーを含み且つ非適合性材料を含有し、眼内インプラントが移植されたときに情景から光を受け取り網膜に光の焦点を合わせるように作用する複数のミラーと、複数のミラーを取り囲んでおり、眼内インプラントが移植されたときに、情景から複数のミラーへ及び複数のミラーから網膜への光の通過を妨げることなく、眼の内部に対して非生体適合性材料を封止するように作用する少なくとも一つの密封包囲体とを備える眼内インプラントが提供される。
【０００６】
眼内インプラントが透明な本体として形成され、複数のミラーが透明な本体の表面を被覆することによって形成され、少なくとも一つの密封包囲体が、非生体適合性材料に対して非浸透性を有し且つ複数のミラー及び透明な本体を覆って形成される透明材料の層によって形成されることが好ましい。さらに、透明材料の層はガラス及び噴霧可能な透明材料のうちの一つであるように選択される。
【０００７】
眼内インプラントは、また、虹彩の閉鎖を制限して、それによって情景からの光が複数のミラーに到達することを保証するように作用する少なくとも一つの虹彩レストリクタを備えることが好ましい。さらに、少なくとも一つの虹彩レストリクタがプリズムを含む。別の好ましい実施形態によれば、プリズムが光を複数のミラーのうちの一つへ導くように作用する。あるいはまた、プリズムが、光の方向を変更して光を複数のミラーのうちの少なくとも一つへ光を導くように作用する。
【０００８】
それに代えて又はそれに加えて、眼内インプラントは、インプラントが移植されたときに概ね複数のミラーに当たる光のみが網膜に到達するように眼内インプラントを通過する光を制限するように配置される少なくとも一つの光レストリクタをさらに備える。
【０００９】
本発明の別の好ましい実施形態によれば、屈折力を有するミラーを含み、眼内インプラントが移植されたときに情景から光を受け取り網膜に光の焦点を合わせるように作用する複数のミラーと、虹彩の閉鎖を制限し、それによって情景からの光が複数のミラーに到達することを保証するように作用する少なくとも一つの虹彩レストリクタとを備える眼内インプラントが提供される。
【００１０】
少なくとも一つの虹彩レストリクタは複数のミラーに接合されることが好ましい。それに加えて又はそれに代えて、少なくとも一つの虹彩レストリクタは、情景から該虹彩レストリクタに当たる光の方向を変更して複数のミラーのうちの少なくとも一つへ光を導くためのプリズムを含む。
【００１１】
少なくとも一つの虹彩レストリクタは、虹彩に取り付け可能であることが好ましい。別の好ましい実施形態によれば、少なくとも一つの虹彩レストリクタは、複数のミラーに接合され且つ虹彩の内側周縁に沿った少なくとも一つの場所で虹彩と係合する少なくとも一つのフックを備える。
【００１２】
複数のミラーは、非生体適合性材料から形成されることが好ましい。それに加えて、複数のミラーは、非生体適合性材料による眼の内部の汚染を防止するために、密封される。あるいはまた、複数のミラーの各々は、非生体適合性材料による眼の内部の汚染を防止するために、密封される。
【００１３】
別の好ましい実施形態によれば、眼内インプラントは、該眼内インプラントが移植されたときに概ね複数のミラーに当たる光のみが網膜に到達するように眼内インプラントを通過する光を制限するように配置される少なくとも一つの光レストリクタをさらに備える。
【００１４】
本発明のさらに別の好ましい実施形態によれば、屈折力を有するミラーを含み、眼内インプラントが移植されたときに情景から光を受け取り網膜に光の焦点を合わせるように作用する複数のミラーと、眼内インプラントが移植されたときに概ね複数のミラーに当たる光のみが網膜に到達するように眼内インプラントを通過する光を制限するように配置される少なくとも一つの光レストリクタとを備える眼内インプラントが提供される。
【００１５】
さらに、本発明のさらに別の好ましい実施形態によれば、屈折力を有するミラーを含み、眼内インプラントが移植されたときに情景から光を受け取り網膜に光の焦点を合わせるように作用する複数のミラーを備え、複数のミラーが屈折矯正手術を受ける患者の眼に移植されるときに作業に適するように構成される眼内インプラントが提供される。
【００１６】
複数のミラーは非生体適合性材料から形成されることが好ましい。さらに、複数のミラーが、非生体適合性材料による眼の内部の汚染を防止するために、密封される。あるいはまた、複数のミラーの各々が、非生体適合性材料による眼の内部の汚染を防止するために、密封される。
【００１７】
本発明の別の好ましい実施形態によれば、さらに、屈折力を有するミラーを含み且つ非生体適合性材料を含有し、眼内インプラントが移植されたときに情景から光を受け取り網膜に光の焦点を合わせるように作用する複数のミラーと、複数のミラーを取り囲み、眼内インプラントが移植されたときに情景から複数のミラーへ及び複数のミラーから網膜への光の通過を妨げることなく、眼の内部に対して非生体適合性材料を封止するように作用する少なくとも一つの密封包囲体と、光を複数のミラーのうちの一つへ導くプリズムを含み、虹彩の閉鎖を制限し、それによって情景からの光が複数のミラーに到達することを保証するように作用する少なくとも一つの虹彩レストリクタと、眼内インプラントが移植されたときに概ね複数のミラーに当たる光のみが網膜に到達するように眼内インプラントを通過する光を制限するように配置される少なくとも一つの光レストリクタとを備える眼内インプラントが提供される。
【発明を実施するための最良の形態】
【００１８】
本発明は、添付図面に関してなされる以下の詳細な説明から十分に理解、認識されるであろう。
次に、本発明の好ましい実施形態に従って構成され機能する移植された状態の眼内インプラント（眼内レンズ）の単純化された断面図である図１を参照する。図１に示されているように、眼内インプラントは、プラスティック、ガラス又はその他の適切な透明の生体適合性材料から形成され且つ図１に示されるような略楕円形の断面を有することが好ましい略光透過性のインプラント包囲体１００を備えていることが好ましく、このインプラント包囲体１００が触覚部１０２によって支持されている。インプラント包囲体１００の内部はその外部に対して密封されている。
【００１９】
インプラント包囲体１００の内部には、ＰＭＭＡなど硬質プラスティックから形成されることが好ましい透明のインプラント本体１０３が配置され、この中に取り付けられている。本体上には、概略切頭型で周方向に対称的な外向き凹面状ミラー１０４が形成されている。ミラー１０４は、外部からミラー１０４に当たる光を反射して、本体１０３上に形成され周状に配置される周方向に対称的な内向き凸面ミラー１０６に光の焦点を合わせるように作用する。このミラー１０６は受けた光を網膜へ導く。包囲体１００及びインプラント本体１０３のいずれか又は両方が屈折力を有し、情景からの光を網膜へ向けるのを手助けできるのは了解されるであろう。
【００２０】
ミラー１０４及び１０６が従来のように非生体適合性材料を含有しているにもかかわらず、ミラー１０４及び１０６が採用されていることが本発明の特殊な特徴である。インプラント包囲体１００の密封性によって、本発明の好ましい実施形態によるミラーの使用が可能になり、非生体適合性材料による眼の内部の汚染（コンタミネーション）が防止される。
【００２１】
インプラント本体１０３は、中実の透明内部体又は中空内部体を含むフレームを含んでもよく、密封透明カプセル又はミラー１０４及び１０６を適切な配列で維持するのに適するその他の構造として形成されてもよいことは分かるであろう。
【００２２】
次に、本発明の別の好ましい実施形態に従って構成され機能する移植された状態の眼内インプラント（眼内レンズ）の単純化された断面図である図２を参照する。図２に示されているように、眼内インプラントは、ＰＭＭＡなど硬質プラスティックから形成され且つ図２に示されているような略楕円形の断面を有することが好ましい概略光透過性のインプラント本体２００を備えていることが好ましく、このインプラント本体２００が触覚部２０２によって支持されている。インプラント本体２００は、概略中実であり、複数の窪みが形成されている。第一の窪み２０３には、略切頭型で周方向に対称的な外向き凹面状ミラー２０４が設けられている。ミラー２０４は、外部からミラー２０４に当たる光を反射して、第二の窪み２０７に形成され周状に配置される周方向に対称的な内向き凸面状ミラー２０６に光の焦点を合わせるように作用する。このミラー２０６は受けた光を網膜へ導く。インプラント本体２００が屈折力を有し、情景からの光を網膜へ向けるのを手助けすることができるのは了解されるであろう。
【００２３】
ミラー２０４及び２０６は、従来のように非生体適合性材料を含有する金属材料のような反射性材料で、それぞれの窪み２０３及び２０７において本体２００の適切に湾曲した表面を被覆（すなわち、コーティング）することによって形成されることが好ましい。くぼみ２０３及び２０７は、それぞれのミラー２０４及び２０６の外側で、プラスティック、ガラス又は噴霧可能な透明材料のような他の適切な生体適合性透明材料などの適切なシール層２０８及び２１０によってそれぞれ密封されている。この密封によって、本発明の好ましい実施形態によるミラー２０４及び２０６の採用が可能になり、非生体適合性材料による眼の内部の汚染（すなわち、コンタミネーション）が防止される。
【００２４】
インプラント本体２００は中実の透明内部体又は中空内部体を含むフレームを含んでもよく、密封透明カプセル又はその他の適切な構造として形成されてもよいことは分かるであろう。
【００２５】
次に、本発明のさらに別の好ましい実施形態に従って構成され機能する移植された状態の眼内インプラント（眼内レンズ）の単純化された断面図である図３を参照する。図３に示されているように、眼内インプラントは、ＰＭＭＡなど硬質プラスティックから形成され且つ図３に示されているような略楕円形の断面を有することが好ましい概略光透過性のインプラント本体３００を備えていることが好ましく、このインプラント本体３００が触覚部３０２によって支持されている。インプラント本体３００は、概略中実であり、複数の窪みが形成されている。第一の窪み３０３には、略切頭型で周方向に対称的な外向き凹面状ミラー３０４が設けられている。ミラー３０４は、外部からミラー３０４に当たる光を反射して、第二の窪み３０７に形成され周状に配置される周方向に対称的な内向き凸面状ミラー３０６に光の焦点を合わせるように作用する。このミラー３０６は受けた光を網膜へ導く。
【００２６】
ミラー３０４及び３０６は、従来のように非生体適合性材料を含有する金属物質のような反射性材料で、それぞれの窪み３０３及び３０７において本体３００の適切に湾曲した表面を被覆（コーティング）することによって形成されることが好ましい。本体３００全体は、それぞれのミラー３０４及び３０６の外側で、プラスティック、ガラス又は他の適切な生体適合性透明材料などの適切なシール層３０８によって密封されている。この密封によって、本発明の好ましい実施形態によるミラー３０４及び３０６の採用が可能になり、非生体適合性材料による眼の内部の汚染（すなわち、コンタミネーション）が防止される。
【００２７】
インプラント本体３００は中実の透明内部体又は中空内部体を含むフレームを含んでもよく、密封透明カプセル又はその他の適切な構造として形成されてもよいことが分かるであろう。
【００２８】
また、インプラント本体３００及びシール層３０８のうちいずれか又はその両方が屈折力を有し、情景からの光を網膜へ向けるのを手助けすることができるのは了解されるであろう。
【００２９】
次に、本発明のさらに別の好ましい実施形態に従って構成され機能する移植された状態の眼内インプラントの単純化された断面図である図４を参照する。図４に示されているように、眼内インプラントは、ＰＭＭＡなど硬質プラスティックから形成され且つ図４に示されているような略楕円形の断面を有することが好ましい概略光透過性のインプラント本体４００を備えていることが好ましく、このインプラント本体４００が触覚部４０２によって支持されている。インプラント本体４００は、概略中実であり、複数の窪みが形成されている。第一の窪み４０３には、概略切頭型で周方向に対称的な外向き凹面状ミラー４０４が設けられている。ミラー４０４は、外部からミラー４０４に当たる光を反射して、第二の窪み４０７に形成された周状に配置される周方向に対称的な内向き凸面状ミラー４０６に光の焦点を合わせるように作用する。このミラー４０６は受けた光を網膜へ導く。インプラント本体４００は屈折力を有し、情景からの光を網膜へ向けるのを手助けすることができることは了解されるであろう。
【００３０】
ミラー４０４及び４０６は、インプラント本体４００とは別個に形成され、それぞれの窪み４０３及び４０７に配置されることが好ましい。ミラー４０４及び４０６は、従来のように非生体適合性材料を含有する金属材料のような反射性材料によって形成されることが好ましい。ミラー４０４及び４０６は、プラスティック、ガラス又は他の適切な生体適合性透明材料のような適切なコーティング４０８及び４１０によってそれぞれ密封されている。この密封によって、本発明の好ましい実施形態によるミラー４０４及び４０６の採用が可能になり、非生体適合性材料による眼の内部の汚染（すなわち、コンタミネーション）が防止される。
【００３１】
インプラント本体４００は中実の透明内部体又は中空内部体を含むフレームを含んでもよく、密封透明カプセル又はその他の適切な構造として形成されてもよいことは分かるであろう。
【００３２】
次に、虹彩レストリクタ（すなわち、虹彩絞り器）を含む移植された状態の眼内インプラント（眼内レンズ）の五つの代替実施形態の単純化された断面図である図５Ａ、図５Ｂ、図５Ｃ、図５Ｄ及び図５Ｅを参照する。図５Ａを参照すると、図１〜図４の何れかに関して上述されたタイプの眼内インプラント（眼内レンズ）５００が、インプラント５００に入射する光を偏向させるように作用する光学プリズムの形態の虹彩レストリクタ（すなわち、虹彩絞り器）５０２と組み合わされているのが分かる。光学プリズムは常に患者の瞳孔を開かせておくもので、光学的に非対称である。虹彩レストリクタ５０２は、水晶体包の外側に設けられており、眼内インプラント５００に取り付けられている。
【００３３】
図５Ｂは、患者の瞳孔を常に開かせておき且つ光学的に対称であるリング又は他の適切な形状の中空包囲体の形態を取る虹彩レストリクタ（すなわち、虹彩絞り器）５２２と組み合わせられている、図１〜図４の何れかに関して上述されたタイプの眼内インプラント（眼内レンズ）５２０を示している。虹彩レストリクタ（すなわち、虹彩絞り器）５２２は、水晶体包の外側に設けられており、眼内インプラント５２０に取り付けられている。
【００３４】
図５Ｃは、患者の瞳孔を常に開かせておき且つ光学的に対称であるリング又は他の適切な形状の中空包囲体の形態を取る虹彩レストリクタ（すなわち、虹彩絞り器）５４２と組み合わされている、図１〜図４の何れかに関して上述されたタイプの眼内インプラント（眼内レンズ）５４０を示している。虹彩レストリクタ５４２は、水晶体包の外側に設けられており、患者の虹彩に縫合されるか又はこれにはめ込まれている。
【００３５】
図５Ｄは、患者の瞳孔を常に開かせておき且つ中心からずらして配置されるフックの形態を取る虹彩レストリクタ（すなわち、虹彩絞り器）５６２と組み合わされている、図１〜図４の何れかに関して上述されたタイプの眼内インプラント（眼内レンズ）５６０を示している。虹彩レストリクタ５６２は、水晶体包の外側に設けられており、眼内インプラント５６０に取り付けられている。
【００３６】
図５Ｅは、患者の瞳孔を常に開かせておく周縁保持器の形態を取る虹彩レストリクタ（すなわち、虹彩絞り器）５８２と組み合わされている、図１〜図４の何れかに関して上述されたタイプの眼内インプラント（願内レンズ）５８０を示している。虹彩レストリクタ５８２は、水晶体包の外側に設けられており、患者の眼に移植されたリング５８６に取り付けられている。
【００３７】
次に、本発明の好ましい実施形態に従った少なくとも一つの光レストリクタ（光絞り器）を含む移植された状態の眼内インプラント（眼内レンズ）の単純化された断面図である図６を参照する。図６の実施形態は、図１〜図４の何れかを参照して上述されたタイプの眼内インプラント（眼内レンズ）６００を含むことが好ましく、例えば図５Ａ〜図５Ｅの何れかに示されている虹彩レストリクタと組み合わせることができる。
【００３８】
図６の実施形態において、好ましくはインプラント６００の射入瞳及び射出瞳の両方において人工虹彩として機能してインプラントを通過する光を制限するように、典型的にはインプラント６００又はミラー６０４の一部の外側表面に形成される光不透過性コーティングによって、単数又は複数の光レストリクタ（光絞り器）６０２が提供され、インプラントが患者に移植されたときに、概ねインプラントのミラー６０４に当たった光のみが網膜に達するようにさせる。あるいはまた、インプラント６００の内側表面を被覆（コーティング）することによって光レストリクタ６０２を形成してもよい。
【００３９】
次に、本発明の好ましい実施形態に従った少なくとも一つの封入レンズと複数のミラーとを含む移植された状態の眼内インプラント（眼内レンズ）の単純化された断面図である図７を参照する。図７の実施形態は、図１〜図４の何れかを参照して上述されたタイプの眼内インプラント（眼内レンズ）７００を含むことが好ましく、例えば図５Ａ〜図５Ｅの何れかに示されている虹彩レストリクタ及び例えば図６に示されている光レストリクタと組み合わせることができる。
【００４０】
図７の眼内インプラントは、好ましくは米国特許第５，３９１，２０２号、同第５，３５４，３３５号、同第５，８１４，１０３号、同第５，８７６，４４２号、同第５，９２８，２８３号、同第６，００７，５７９号、同第６，０６６，１７１号、同第６，５６９，１９９号、同第６，５９６，０２６号、公開された米国特許出願第１０/３４２，１６０号及び同第１０/３２１，７９３号（これらの開示内容は本願と一体のものとして参照される）を含む本出願人の公開された特許文献の何れかに記載されるタイプの、眼内インプラント７００に取り付けられ水晶体包の外側に延びるテレスコープ７０２のような外部レンズを含むことも好ましい。
【００４１】
次に、本発明の好ましい実施形態に従った屈折矯正手術を受けた眼に移植された上記の図面の何れかに示されているタイプの移植された状態の眼内インプラントの単純化された断面図である図８を参照する。図８の実施形態は、図１〜図４の何れかを参照して上述されたタイプの眼内インプラント８００を含むことが好ましく、例えば図５Ａ〜図５Ｅの何れかに示されている虹彩レストリクタ及び例えば図６に示されている光レストリクタと組み合わせることができる。眼内インプラント８００の光学的特徴は、屈折矯正手術後の患者の状態及び機能性に適合するようにされており、特に、屈折矯正手術によって形成される再建された角膜と協働するように構成される。
【００４２】
次に、本発明のさらに好ましい実施形態において配置されるプリズム及び複数のミラー、生体適合性ハウジング及び光レストリクタを含む移植された状態の眼内インプラント（眼内レンズ）の単純化された断面図である図９を参照する。
【００４３】
図９に示されているように、眼内インプラントは、ＰＭＭＡなど硬質プラスティックから形成され且つ図９に示されているような略楕円形の断面を有することが好ましい概略光透過性のインプラント包囲体９００を備えていることが好ましく、このインプラント包囲体９００が触覚部９０１によって支持されている。インプラント包囲体９００の内部は、外部に対して密封されている。
【００４４】
外側に面して包囲体９００にプリズム９０２が取り付けられている。プリズム９０２は情景から受け取った光を内斜め向きに包囲体９００の内部へ向かって導く。インプラント包囲体９００内には透明のインプラント本体９０３が設けられ、インプラント包囲体９００内に取り付けられており、インプラント本体９０３上には、外斜め向きの凸面状ミラー９０４が形成されている。ミラー９０４は、外部からプリズム９０２を経てミラー９０４に当たった光を、同じくインプラント本体９０３上に形成された内斜め向きの凹面状ミラー９０６へ反射するように作用する。ミラー９０６は受けた光を網膜へ導く。包囲体９００及びインプラント本体９０３のうちの何れか又はその両方が屈折力を有し、情景からの光を網膜へ向けるのを手助けすることができるのは了解されるであろう。
【００４５】
上述した実施形態の場合と同様、ミラー９０４及び９０６は、従来のように非生体適合性材料を含有するのにもかかわらず、採用されていることが本発明の特殊な特徴である。インプラント本体９０３の密封性によって、本発明の好ましい実施形態によるミラーの使用が可能になり、非生体適合性材料による眼の内部の汚染（すなわち、コンタミネーション）が防止される。
【００４６】
図９に示されているように、インプラント本体９０３は、インプラントが患者に移植されたときに、概ねインプラントのミラー９０４及び９０６に当たった光のみが網膜に達するように、単数又は複数の光レストリクタ９０８を含み、それによってインプラントを通過する光を制限することが好ましい。
【００４７】
あるいはまた、インプラント包囲体９００を除去して、プリズム９０２をインプラント本体９０３に直接的に取り付けてもよい。この実施形態においては、ミラー９０４及び９０６は、図２のミラー２０４及び２０６と同様に、反射性物質でインプラント本体９０３の適切な部分を被覆し且つミラー９０４及び９０６を密封することによって、形成してもよい。あるいはまた、ミラー９０４及び９０６は、図３のミラー３０４及び３０６と同様に、反射性物質でインプラント本体９０３の適切な部分を被覆し且つインプラント本体９０３を密封することによって、形成することができる。さらなる代替実施形態として、ミラー９０４及び９０６は、図４のミラー４０４及び４０６と同様に、インプラント本体９０３とは別個に形成され、インプラント本体９０３を配置する前に密封されてもよい。
【００４８】
インプラント本体９０３は、中実の透明な内部体又は中空内部体を含むフレームを含み、密封透明カプセル又はミラー９０４及び９０６を適切な配列に維持するのに適する他の構造として形成できることが分かるであろう。
【００４９】
本発明が図示され上述されたものに特に限定されないことが当業者には分かるであろう。本発明の範囲は、上述した特徴のコンビネーション及びサブコンビネーション並びに添付図面に関してなされた上記の説明を読んで当業者に思い浮かぶ先行技術にはないその変形及び修正を含む。
【図面の簡単な説明】
【００５０】
【図１】本発明の好ましい実施形態に従って構成され機能する移植された状態の眼内インプラント（眼内レンズ）の単純化された断面図である。
【図２】本発明の別の好ましい実施形態に従って構成され機能する移植された状態の眼内インプラントの単純化された断面図である。
【図３】本発明のさらに別の好ましい実施形態に従って構成され機能する移植された状態の眼内インプラントの単純化された断面図である。
【図４】本発明の他の好ましい実施形態に従って構成され機能する移植された状態の眼内インプラントの単純化された断面図である。
【図５Ａ】虹彩レストリクタ（虹彩絞り器）を含む移植された状態の眼内インプラントの代替実施形態の単純化された断面図である。
【図５Ｂ】虹彩レストリクタを含む移植された状態の眼内インプラントの代替実施形態の単純化された断面図である。
【図５Ｃ】虹彩レストリクタを含む移植された状態の眼内インプラントの代替実施形態の単純化された断面図である。
【図５Ｄ】虹彩レストリクタを含む移植された状態の眼内インプラントの代替実施形態の単純化された断面図である。
【図５Ｅ】虹彩レストリクタを含む移植された状態の眼内インプラントの代替実施形態の単純化された断面図である。
【図６】本発明の好ましい実施形態に従った、少なくとも一つの光レストリクタ（光絞り器）を含む移植された状態の眼内インプラントの単純化された断面図である。
【図７】本発明の好ましい実施形態に従った、少なくとも一つの封入レンズ及び複数のミラーを含む移植された状態の眼内インプラントの単純化された断面図である。
【図８】本発明の好ましい実施形態に従った、屈折矯正手術を受けた眼に移植された上記図面のうちの何れかに示されているタイプの移植された状態の眼内インプラントの単純化された断面図である。
【図９】本発明のさらに好ましい実施形態に従って配置されたプリズム、複数のミラー、生体適合性ハウジング及び光レストリクタを含む移植された状態の眼内インプラントの単純化された断面図である。
【符号の説明】
【００５１】
１００    包囲体
１０４    ミラー
１０６    ミラー
２００    インプラント本体
２０４    ミラー
２０６    ミラー
２０８    シール層
２１０    シール層
３００    インプラント本体
３０４    ミラー
３０６    ミラー
３０８    シール層
４００    インプラント本体
４０４    ミラー
４０６    ミラー
４０８    コーティング
４１０    コーティング
５００    眼内インプラント
５０２    虹彩レストリクタ
５２０    眼内インプラント
５２２    虹彩レストリクタ
５４０    眼内インプラント
５４２    虹彩レストリクタ
５６０    眼内インプラント
５６２    虹彩レストリクタ
５８０    眼内インプラント
５８２    虹彩レストリクタ
６００    眼内インプラント
６０２    光レストリクタ
６０４    ミラー
７００    眼内インプラント
８００    眼内インプラント
９００    包囲体
９０３    インプラント本体
９０４    ミラー
９０６    ミラー
【図１】
2006187635.tif 000003
【図２】
2006187635.tif 000004
【図３】
2006187635.tif 000005
【図４】
2006187635.tif 000006
【図５Ａ】
2006187635.tif 000007
【図５Ｂ】
2006187635.tif 000008
【図５Ｃ】
2006187635.tif 000009
【図５Ｄ】
2006187635.tif 000010
【図５Ｅ】
2006187635.tif 000011
【図６】
2006187635.tif 000012
【図７】
2006187635.tif 000013
【図８】
2006187635.tif 000014
【図９】
2006187635.tif 000015
【外国語明細書】
2006187635000001.pdf